(57)【要約】【課題】収納キャビネットの収納スペースを確保すると共に、洗面ボウルの上方に配置された水栓装置内のシャワーホースの引出し長さを確保できる洗面化粧台を提供する。【解決手段】本発明による洗面化粧台(1)は、下部キャビネット(2)の上に配置された洗面ボウル(4)と、洗面ボウル(4)に吐水する水栓装置(6)と、電源部(44)を有する。水栓装置(6)は、洗面ボウル(4)の上に載せられた水栓装置ボックス(16)と、吐水を行う吐水ヘッド(10)と、吐水／止水状態を切替える水栓ユニット(12)と、吐水ヘッド(10)と水栓ユニット(12)とを連結し且つ水栓装置ボックス(16)から引出せるシャワーホース(14)を有する。吐水ヘッド(10)に対して、シャワーホース(14)は一方の側に、水栓ユニット(12)及び電源部(44)は他方の側に配置され、水栓ユニット(12)は吐水ヘッド(10)と電源部(44)の間に配置される。【選択図】図２
2008125633.tif 000002
【特許請求の範囲】
【請求項１】
下部キャビネットと、前記下部キャビネットの上に配置された洗面ボウルと、前記洗面ボウルに向けて吐水するための水栓装置と、電気コンセントを有する電源部と、を有する洗面化粧台であって、
前記洗面ボウルは、手前側に位置する前壁と、奥側の三方を囲み且つ前記前壁よりも上方に延びる後周壁と、を有し、
前記水栓装置は、吐水を行う吐水ヘッドと、前記吐水ヘッドの吐水状態と止水状態とを切替えるための水栓ユニットと、前記吐水ヘッドと前記水栓ユニットとを連結するシャワーホースと、前記水栓ユニット及び前記シャワーホースを収容し且つ前記後周壁の上に載せられた水栓装置収納部と、を有し、
前記吐水ヘッドは、前記シャワーホースを前記水栓装置収納部から引出せるように、脱着可能に前記水栓装置収納部に取付けられ、
前記シャワーホースは、前記吐水ヘッドに対する左右方向の一方の側において、左右方向に往復して延び、前記水栓ユニット及び前記電源部は、前記吐水ヘッドに対する左右方向の他方の側に且つその側方に配置され、
前記水栓ユニットは、前記吐水ヘッドと前記電源部の間に配置されることを特徴とする洗面化粧台。
【請求項２】
前記後周壁は、後左壁と後右壁とを有し、前記後左壁及び前記後右壁はそれぞれ、前記水栓装置収納部が載せられる上面を有し、
更に、前記水栓装置収納部を左右方向にまたぐように配置された収納キャビネットを有し、前記収納キャビネットは、前記後左壁の上面の上に載せられる左脚部と、前記後右壁の上面の上に載せられる右脚部と、を有し、
前記電源部は、前記左脚部と前記右脚部のうちの前記他方の側の脚部に取付けられることを特徴とする請求項１に記載の洗面化粧台。
【請求項３】
前記水栓装置収納部は、その前方を覆う前面パネルを有し、前記前面パネルはまた、前記収納キャビネットの左脚部及び右脚部の前方を覆うことを特徴とする請求項２に記載の洗面化粧台。
【発明の詳細な説明】
【技術分野】
【０００１】
本発明は、洗面化粧台に関し、更に詳細には、水栓装置が洗面ボウルの上方に配置された洗面化粧台に関する。
【背景技術】
【０００２】
従来から、洗面ボウルに向けて水や湯を吐水するための水栓装置を洗面ボウルの上方に配置した洗面化粧台が知られている。水栓装置は、ある種類の洗面化粧台では、洗面ボウルの奥側に配置された後パネルに組込まれており（例えば、特許文献１及び２参照）、別の種類の洗面化粧台では、洗面ボウルから間隔をおいて上方に配置された収納キャビネットの下部に組み込まれている（例えば、特許文献３参照）。かかる洗面化粧台の水栓装置は、一般的には、後パネル又は収納キャビネットに収容されたシャワーホースを、洗髪や洗面ボウルの清掃のために引出せるように構成されている。また、多くの場合、ドライヤー等に電気を供給するための電気コンセントやライト等の電気部品が収納キャビネットに設けられている（特許文献１及び２参照）。
【０００３】
【特許文献１】特開平９−２５０１５３号公報
【特許文献２】特開２００４−２５５０２８号公報
【特許文献３】特開２００１−６１６８５号公報
【発明の開示】
【発明が解決しようとする課題】
【０００４】
水栓装置が洗面ボウルの上方に配置された従来の洗面化粧台では、シャワーホースを引出すことができる水栓装置を配置するためのスペースと、電気コンセント等を含む電源部を配置するためのスペースとを別々に確保していた。具体的には、水栓装置は、洗面ボウルのすぐ上に配置された後パネルに組込まれ（特許文献１及び２参照）、又は、洗面ボウルの上方の収納キャビネットの下部に組み込まれていた（特許文献３参照）。また、電源供給ユニットも、洗面ボウルの上方の収納キャビネットの下部に組み込まれていた（特許文献１及び３参照）。そのため洗面化粧台の奥行き寸法を小さくするために後パネルの前後方向長さを小さくしたい、又は、収納キャビネットの収納スペースを大きくしたいという要望があった。
【０００５】
また、水栓装置を後パネル又は収納キャビネット以外の場所に配置しても、シャワーホースの引出し長さを確保することが要求される。
【０００６】
そこで、本発明は、洗面ボウルの上方に配置された水栓装置と電源部とを有し、収納キャビネットの収納スペースを確保すると共に、シャワーホースの引出し長さを確保することができる洗面化粧台を提供することを目的とする。
【課題を解決するための手段】
【０００７】
上記目的を達成するために、本発明による洗面化粧台は、下部キャビネットと、下部キャビネットの上に配置された洗面ボウルと、洗面ボウルに向けて吐水するための水栓装置と、電気コンセントを有する電源部と、を有する洗面化粧台であって、洗面ボウルは、手前側に位置する前壁と、奥側の三方を囲み且つ前壁よりも上方に延びる後周壁と、を有し、水栓装置は、吐水を行う吐水ヘッドと、吐水ヘッドの吐水状態と止水状態とを切替えるための水栓ユニットと、吐水ヘッドと水栓ユニットとを連結するシャワーホースと、水栓ユニット及びシャワーホースを収容し且つ後周壁の上に載せられた水栓装置収納部と、を有し、吐水ヘッドは、シャワーホースを水栓装置収納部から引出せるように、脱着可能に水栓装置収納部に取付けられ、シャワーホースは、吐水ヘッドに対する左右方向の一方の側において、左右方向に往復して延び、水栓ユニット及び電源部は、吐水ヘッドに対する左右方向の他方の側に且つその側方に配置され、水栓ユニットは、吐水ヘッドと電源部の間に配置されることを特徴としている。
【０００８】
このように構成された洗面化粧台では、洗面ボウルの後周壁の上に水栓装置収納部が載せられ、水栓装置収納部内にシャワーホース及び水栓ボックスが収容されている。また、電源部は、水栓ボックスに取付けられた吐水ヘッドの側方に配置されている。従って、シャワーホース及び電源部は、従来の洗面化粧台では使用されていなかった吐水ヘッドの側方の空間に配置されており、それにより、収納キャビネットの収納スペースを確保することができる。また、吐水ヘッドに対する左右方向の一方の側に、水栓ユニット及び電源部を配置しているので、水栓装置収納部において、吐水ヘッドに対する他方の側を、シャワーホースを引出すための空間として確保できる。それにより、シャワーホースの引出し長さを確保することができる。
【０００９】
本発明による洗面化粧台の実施形態において、好ましくは、後周壁は、後左壁と後右壁とを有し、後左壁及び後右壁はそれぞれ、水栓装置収納部が載せられる上面を有し、更に、水栓装置収納部を左右方向にまたぐように配置された収納キャビネットを有し、収納キャビネットは、後左壁の上面の上に載せられる左脚部と、後右壁の上面の上に載せられる右脚部と、を有し、電源部は、左脚部と右脚部のうちの他方の側の脚部に取付けられる。
【００１０】
この実施形態において、好ましくは、水栓装置収納部は、その前方を覆う前面パネルを有し、前面パネルはまた、収納キャビネットの左脚部及び右脚部の前方を覆う。
【発明の効果】
【００１１】
以上説明したように、本発明による洗面化粧台によれば、洗面ボウルの上方に配置された水栓装置と電源部とを有し、収納キャビネットの収納スペースを確保すると共に、シャワーホースの引出し長さを確保することができる洗面化粧台を提供することができる。
【発明を実施するための最良の形態】
【００１２】
次に、図１〜図３を参照して、本発明による洗面化粧台の実施形態を説明する。図１は、本発明の実施形態である洗面化粧台の斜視図であり、図２は、図１に示す洗面化粧台の分解斜視図であり、図３は、図１に示す洗面化粧台の洗面ボウル及び水栓装置収納部である水栓装置ボックスを後方から見た斜視図である。
【００１３】
本明細書において、「上」、「下」、「左」、「右」の方向は、洗面化粧台の使用者から見た方向であり、また、使用者から見て手前側を「前」と称し、奥側を「後」と称する。
【００１４】
図１〜図３に示すように、本発明の実施形態である洗面化粧台１は、下部キャビネット２と、下部キャビネット２の上に配置された洗面ボウル４と、洗面ボウル４に向けて水や湯を吐水するための水栓装置６と、洗面ボウル４の上方に配置された収納キャビネット８とを有している。
【００１５】
水栓装置６は、水や湯が吐水される吐水ヘッド１０と、吐水ヘッド１０の吐水状態と止水状態とを切替えるための水栓ユニット１２とを有している。水栓ユニット１２は、その前側に、操作ハンドル１２ａを有しており、後側に、水を供給するための給水管１２ｂと湯を供給するための給湯管１２ｃが連結されている（図３参照）。本実施形態の水栓ユニット１２は、操作ハンドル１２ａを前後方向に回動させることにより、吐水ヘッド１０における湯水の吐水状態と止水状態とを切替え、且つ、吐水ヘッド１０から吐出される湯水の流量を調節できるように構成され、また、操作ハンドル１２ａを左右に回動させることにより、吐水ヘッド１０から吐出される湯水の温度を調節するために水と湯の混合割合を変化させるように構成されている。また、吐水ヘッド１０は、切替えノブ（図示せず）等により、直流吐水とシャワー吐水が切替えられるように構成されていることが好ましい。
【００１６】
給水管１２ｂ及び給湯管１２ｃは、水栓ユニット１２から下方に延び、洗面ボウル４の後部を通って、下部キャビネット２内に延び、図示しない給水装置及び給湯装置に接続されている。給水管１２ｂ及び給湯管１２ｃは、その取付けを容易にするために、途中で継手を介して分割されていることが好ましい。
【００１７】
次に、図４及び図５を参照して、水栓装置６を説明する。図４は、収納状態のシャワーホースを示す水栓装置の拡大斜視図であり、図５は引出し状態のシャワーホースを示す水栓装置の拡大斜視図である。
【００１８】
図４及び図５に示すように、水栓装置６は、上述した吐水ヘッド１０及び水栓ユニット１２と、吐水ヘッド１０と水栓ユニット１２とを連結するシャワーホース１４とを有しており、水栓ユニット１２及びシャワーホース１４は、水栓装置ボックス１６内に収容されている。
【００１９】
水栓装置ボックス１６は、左右方向に延び、互いに連結された底パネル１６ａ、後パネル１６ｂ、左横パネル１６ｃ、右横パネル１６ｄと、取外し可能な前面パネル１６ｅとを有している。左横パネル１６ｃは、底パネル１６ｂ及び後パネル１６ｂの左端部のところに配置されているのに対し、右横パネル１６ｄは、底パネル１６ｂ及び後パネル１６ｂの右端部よりも左方に配置されている。吐水ヘッド１０は、洗面ボウル４の左右方向中心において下方斜め前方に向くように配置され、且つ、シャワーホース１４を水栓装置ボックス１６から引出せるように底パネル１６ａに脱着可能に取付けられている。水栓ユニット１２は、吐水ヘッド１０の近くに且つ右方に配置され、右横パネル１６ｄは、水栓ユニット１２に隣接してその右側に配置されている。水栓装置ボックス１６には、水栓ユニット１２が取付けられる水栓取付け金具１８と、吐水ヘッド１０の左方に配置された第１門形金具２０と、左横パネル１６ｃと隣接して配置された第２門形金具２２が取付けられている。
【００２０】
図５に示すように、前面パネル１６ｅは、連結部材１６ｊによって水栓装置ボックス１６に取外し可能に設けられている。本実施例では、凸部を持つ連結部材１６ｊが第１門形金具２０及び第２門形金具２２にそれぞれ設けられた取付け穴２０ａ、２２ａに係合することにより、前面パネル１６ｅが水栓装置ボックス１６に取付けられる。また、前面パネル１６ｅを水栓装置ボックス１６に確実に固定するために、前面パネル１６ｅの裏面から突出する取付部１７が設けられ、取付部１７には、ねじ穴１７ａが設けられている。また、水栓装置ボックス１６の底パネル１６ｂの略中央部に、固定用穴（図示せず）が設けられ、この固定用穴（図示せず）は、洗面ボウル４の排水口４ｂを閉じる排水栓４ｃの上方に位置している。ねじを固定用穴（図示せず）を通してねじ穴１７ａに下方からねじ込むことによって、前面パネル１６ｅが水栓装置ボックス１６に固定される。尚、排水栓４ｃは、その上面が上に凸になった形状であり、鏡面仕上げになっているので、底パネル１６ｂとその周辺が排水栓４ｃの上面に映し出される。したがって、施工者は下方からドライバー等でねじを締めようとする際、排水栓４ｃの上面に映った底パネル１６ｂの様子を見ながら取付作業ができるため、下から覗き込む必要がなく、取付作業がしやすくなる。
【００２１】
シャワーホース１４は、水栓装置ボックス１６内の主に吐水ヘッド１０の左方において左右方向に往復して延び、図４に示す収納位置と、図５に示す引出し位置との間を移行可能である。両方の状態において、シャワーホース１４は、水栓ユニット１２から左方向に延びる往路部１４ａと、この往路部１４ａからＵターンするＵターン部１４ｂと、このＵターン部１４ｂから右方向に延びる復路部１４ｃとを有している。
【００２２】
往路部１４ａは、水栓ユニット１２の側面の後方上部に配置された流出口１２ｄから延び、吐水ヘッド１０を越え、水栓装置ボックス１６の前方下部に沿って延びている。往路部１４ａの一部は、第１門形金具２０に取付けられた保持具２０ｂによって、水栓装置ボックス１６の前方下部に保持されることが好ましい。Ｕターン部１４ｂは、水栓装置ボックス１６の前方下部から後方上部に向かって湾曲している。復路部１４ｃは、水栓装置ボックス１６の後方上部に沿って延び、下方斜め前方に向くように配置された吐水ヘッド１０に接続されている。吐水ヘッド１０の近傍の復路部１４ｃの部分は、吐水ヘッド１０を取外してシャワーホース１４を水栓装置ボックス１６より引出す、または水栓装置ボックス１６に収納する際に往路部１４ａと干渉しないように、往路部１４ａと交差している。本実施形態では、復路部１４ｃは、往路部１４ａの後方で交差している。かくして、シャワーホース１４は、「α」字形の経路を有している。
【００２３】
Ｕターン部１４ｂは、シャワーホース１４が収納位置にあるとき、左横パネル１６ｃの近傍に位置し、シャワーホース１４が引出し位置に移行するにつれて、吐水ヘッド１０に向かって移動するように構成されている。シャワーホース１４が引出し位置にあるときに、シャワーホース１４を水栓装置ボックス１６内に戻すと、Ｕターン部１４ｂが左方に移行しにくい場合がある。従って、シャワーホース１４が引出し位置にあるときにＵターン部１４ｂを左方に向かって付勢するばね２４が第２門形金具２２または左横パネル１６ｃとシャワーホース１４との間に取付けられることが好ましい。
【００２４】
また、底パネル１６ａには、シャワーホース１４を収納したときに入る水を排出する水抜き孔１６ｆを有している。また、後パネル１６ｂには、水栓装置ボックス１６を部屋の壁面にネジ等で固定するための取付け孔１６ｇが設けられている。
【００２５】
次に、洗面ボウル及び水栓装置ボックスを詳細に説明する。
【００２６】
図２に示すように、洗面ボウル４は、その手前側の三方を囲む前周壁３０と、奥側の三方を囲み且つ前周壁よりも上方に延びる後周壁３２と、を有している。本実施形態では、洗面ボウルの輪郭、及び、前周壁３０と後周壁３２とによって形成される凹部の輪郭は、上方から見て、矩形状である。また、洗面ボウル４は樹脂製である。
【００２７】
前周壁３０は、前左壁３０ａと、手前側に位置する前壁３０ｂと、前右壁３０ｃとを有し、洗面ボウル４の凹部４ａの手前側を構成している。前左壁３０ａ及び前右壁３０ｃはそれぞれ、左右方向に幅広であり、矩形上の上面であるカウンター面３０ｄを有している。これに対して、前壁３０ｂは、その前後方向の厚さが比較的薄くなるように構成されている。
【００２８】
後周壁３２は、後左壁３２ａと、後壁３２ｂと、後右壁３２ｃとを有し、洗面ボウル４の凹部４ａの奥側を構成している。即ち、後左壁３２ａ及び後右壁３２ｃは、後壁３２ｂよりも手前側に延びている。後左壁３２ａ、後壁３２ｂ及び後右壁３２ｃはそれぞれ、水栓装置ボックス１６が載せられる矩形上の上面３３ａ、３３ｂ、３３ｃを有している。後左壁３２ａ及び後右壁３２ｃの左右方向幅寸法はそれぞれ、前左壁３０ａ及び前右壁３０ｃの左右方向幅寸法と同じであり、後左壁３２ａ及び後右壁３２ｃの左右方向幅寸法及び前後方向寸法は上下方向に一定である。すなわち、後左壁３２ａ及び後右壁３２ｃは、前左壁３０ａ及び前右壁３０ｃと同じ左右方向幅寸法を持つ直方体状である。また、図４に示すように、後左壁３２ａの上面３３ａは、左右方向の外縁即ち左縁３４ａ及び左右方向の内縁即ち右縁３５ａを有し、後右壁３２ｃの上面３３ｃは、左右方向の外縁即ち右縁３４ｃ及び左右方向の内縁即ち左縁３５ｃを有している。
【００２９】
また、図２及び図３に示すように、後壁３２ｂは、給水管１２ｂ及び給湯管１２ｃが通る溝３８が設けられる程度の厚さ（前後方向寸法）に構成されている。後壁の厚さは、例えば、２５ｍｍであり、溝の深さは、例えば、２０ｍｍである。
【００３０】
また、図４に示すように、水栓装置ボックス１６は、洗面ボウル４の上方を左右方向に横切るように後周壁３２の上に載せられている。水栓装置ボックス１６の左右方向幅寸法Ｗは、後左壁３２ａの上面３３ａの外縁即ち左縁３４ａと後右壁３２ｃの上面３３ｃの外縁即ち右縁３４ｃとの間の距離ＷＯよりも短く、後左壁３２ａの上面３３ａの内縁即ち右縁３５ａと後右壁３２ｃの上面３３ｃの内縁即ち左縁３５ｃとの間の距離ＷＩよりも長く構成されている。この水栓装置ボックス１６の左右方向幅寸法Ｗは、異なる左右方向幅寸法を有する複数の種類の洗面ボウル４の上に載せられるように定められることが好ましい。例えば、距離（ＷＯ、ＷＩ）の組（単位ｍｍ）がそれぞれ、（６００，４８０）、（７００，５００）、（７５０，５３０）である３種類の洗面ボウル４に対して、左右方向幅寸法Ｗが５５０〜５８０ｍｍの水栓装置ボックス１６を採用することが好ましい。
【００３１】
図３に示すように、後周壁３２及び水栓装置ボックス１６はそれぞれ、水栓装置ボックス１６を後周壁３２に対して左右方向に位置決めするための位置決め手段を有することが好ましい。本実施例において、位置決め手段は、洗面ボウル４の後壁３２ｂの上面３３ｂから上方に突出した凸部４０ａと、後パネル１６ｂに設けられた凹部４０ｂとよりなり、凸部４０ａに凹部４０ｂが嵌合することにより、後周壁３２に対する水栓装置ボックス１６の左右方向の位置決めを行うことができる。さらに収納キャビネット８の底面部にも水栓装置ボックス１６側に伸びる凸部４０ｃが設けられており、後パネル１６ｂに設けられた凹部４０ｂと嵌合することにより水栓装置ボックス１６に対する収納キャビネット８の左右方向の位置決めを行うことができる。
【００３２】
次に、収納キャビネットを説明する。
【００３３】
一般的な収納キャビネットは、例えば特許文献２の図１に示すように、前方向からの正面視において長方形状であり、その底面部は面一となっている。そのため、収納キャビネットを設置する際、収納キャビネットの荷重はパネルの上面全体で受けられることになる。また、洗面化粧台とパネル及び収納キャビネットとを外観上美しく設置するためには、それぞれの左右方向幅寸法が同寸法でなければならず、更に、それぞれの側面部が面一になるようにして取付けられなければならないという課題があった。
【００３４】
一方、本実施例の洗面化粧台においては、図２に示すように、収納キャビネット８は、ライト８ａ、鏡８ｂを備え、内部に収納棚（図示せず）を有している。また、収納キャビネット８は、水栓装置ボックス１６を左右方向にまたぐように配置されており、具体的には、水栓装置ボックス１６の上に位置し且つそれを左右両方向に越えて延びる本体部４２ｂと、本体部４２ｂの左端部から下方に延び且つ水栓装置ボックス１６の左側に位置して後左壁３２ａの上面３３ａの上に載せられる左脚部４２ａと、本体部４２ｂの右端部から下方に延び且つ水栓装置ボックス１６の右側に位置して後右壁３２ｃの上面３３ｃの上に載せられる右脚部４２ｃとを有している。そのため、水栓装置ボックス１６に収納キャビネット８の荷重がかかることがないため、水栓装置ボックス１６を荷重から守るための上面側のパネルを設けずともよい。本実施形態では、収納キャビネット８の本体部４２ｂの底面が、水栓装置ボックス１６の開放した上面を覆う蓋として機能する。収納キャビネット８の左右方向幅寸法は、洗面ボウル４の左右方向幅寸法Ｗと同じであることが好ましい。そうすることによって、水栓装置ボックス１６の左右方向幅寸法にかかわらず、収納キャビネット８と洗面ボウル４との左右方向幅寸法を同寸法にし、側面部が面一になるように設置するだけで、外観上も好ましくなる。
【００３５】
収納キャビネット８は、更に、電源部４４、即ち、ドライヤー等に電気を供給するための電気コンセント４４ａ、及び、電源スイッチ４４ｂを有していることが好ましい。電源部４４は、右脚部４２ｃに固定され且つ電源部４４を手前側に露出させるための前面プレート４４ｃに取付けられており、前面プレート４４ｃは、右脚部４２ｃから水栓装置ボックス１６の右横パネル１６ｄの近くまで左右方向に延びている。また、前面プレート４４ｃは、後周壁３２の上面３３ｃと間隔をおいている。かくして、電源部４４は、右脚部４２ｃと右横パネル１６ｄとの間に形成される空間に配置されている。
【００３６】
また、図２に示すように、水栓装置ボックス１６の前面パネル１６ｅは、水栓装置ボックス装置１６の前面側を覆うだけでなく、電源部４４と収納キャビネット８の左脚部４２ａ及び右脚部４２ｃの前面側を覆うように、水栓装置ボックス１６を左右両方向に越えて延びており、電気コンセント４４ａ及び電源スイッチ４４ｂを手前側に露出させるための孔１６ｈを有している。前面パネル１６ｅは、洗面ボウル４及び収納キャビネット８と同じ左右方向幅寸法を有することが好ましい。また、前面パネル１６ｅは、操作ハンドル１２ａが貫通する孔１６ｉを有し、水栓ユニット１２の外周に形成されたねじ山に螺合するナット１２ｅによって、水栓ユニット１２に押し付けられ固定される（図４参照）。また、前面パネル１６ｅは、使用者に見えないような仕方で連結される連結具１６ｊ及び取付け穴２０ａ、２２ａによって、水栓装置ボックス１６に取付けられることが好ましい（図５参照）。
【００３７】
次に、上述した洗面化粧台の使用方法を説明する。
【００３８】
吐水ヘッド１０を通常の蛇口として使用するときには、吐水ヘッド１０を直流吐水に切替え、操作ハンドル１２ａにより、所望の温度の水又は湯を吐水ヘッド１０から吐水させたり止水させたりする。
【００３９】
また、吐水ヘッド１０をシャワーとして使用するときには、吐水ヘッド１０をシャワー吐水に切替えると共に、吐水ヘッド１０を水栓装置ボックス１６から取外し、シャワーホース１４を水栓装置ボックス１６から引出す。次いで、操作ハンドル１２ａにより、所望の温度の水又は湯を吐水ヘッド１０から吐水させたり止水させたりする。使用終了後、シャワーホース１４を水栓装置ボックス１６に戻して、吐水ヘッド１０を水栓装置ボックス１６に取付ける。シャワーホース１４を水栓装置ボックス１６に戻す際、シャワーホース１４の復路部１４ｃは最初上向きに戻されるが、ばね２４の作用により、シャワーホース１４の復路部１４ｃが左方に差し向けられ、以後、復路部１４ｃは、水栓装置ボックス１６の後方上部に沿ってスムーズに戻される。
【００４０】
次に、上述した洗面化粧台の取付け手順を説明する。
【００４１】
まず、下部キャビネット２を部屋の壁に沿って配置し、下部キャビネット２の上に洗面ボウル４を取付ける。また、水栓装置ボックス１６の前面パネル１６ｅを取外しておく。次いで、位置決め手段である凸部４０ａと凹部４０ｂを嵌合させるようにして、且つ、給水管１２ｂ及び給湯管１２ｃを溝３８に通して、水栓装置ボックス１６を洗面ボウル４の後周壁３２の上面３３ａ、３３ｂ、３３ｃの上に載せる。次いで、取付け孔１６ｇを利用して、水栓装置ボックス１６を壁にネジ等によって固定する。次いで、収納キャビネット８の左脚部４２ａ及び右脚部４２ｃをそれぞれ、洗面ボウル４の後左壁３２ａ及び後右壁３２ｃの上面３３ａ、３３ｃの上に、位置決め手段である凸部４０ｃと凹部４０ｂを嵌合させるようにして配置し、収納キャビネット８を壁に固定する。次いで、前面パネル４６を水栓装置ボックス１６に取付ける。
【００４２】
本発明の実施形態である洗面化粧台１は以下の特徴を有している。
【００４３】
上述した洗面化粧台１では、水栓装置ボックス１６を洗面ボウル４の後周壁３２の上に載せることができるので、水栓装置ボックス１６を壁に取付ける際、水栓装置ボックス１６を支持する必要がない。同様に、収納キャビネット８を洗面ボウル４の後周壁３２の上に載せることができるので、収納キャビネット８を壁に取付ける際、収納キャビネット８を支持する必要がない。それにより、洗面化粧台１の取付け作業を容易にすることができる。これに関連して、電源部４４は、後周壁３２と間隔をおくように右脚部４２ｃに支持されているので、収納キャビネット８を後周壁３２の上に載せたとき、電源部４４に収納キャビネット８の荷重がかかることが防止される。
【００４４】
また、洗面化粧台１では、その中で最も構造が複雑な水栓装置６の部分を、水栓装置ボックス１６の形態で一体化している。更に、水栓装置ボックス１６は、異なる左右方向幅寸法を有する複数の種類の洗面ボウル４又は洗面化粧台１に対して共通に使用できるような寸法にすることが可能である。従って、組立て作業が容易になると共に、洗面化粧台１の組立て時のコスト及び部品在庫のためのコストを削減することができる。
【００４５】
また、位置決め手段として、後周壁３２には凸部４０ａが、水栓装置ボックス１６には凹部４０ｂが備わっているので、吐水ヘッド１０を洗面ボウル４の左右方向中央に配置するための水栓装置ボックス１６の位置決め作業を容易にすることができる。さらに収納キャビネット８の底面部にも水栓装置ボックス１６側に伸びる凸部４０ｃが備わっているので、水栓装置ボックス１６に対する収納キャビネット８の左右方向の位置決め作業を容易にすることができる。
【００４６】
また、水栓装置ボックス１６に設けられた１箇所の凹部４０ａによって、洗面ボウル４と収納キャビネット８の左右方向の位置を決めることができる。したがって、水栓装置ボックス、洗面ボウルおよび収納キャビネットのそれぞれに左右方向の位置を調整しなくても、側面部が面一になるように取付けることができるため、施工性が向上するとともに外観上もたいへん好ましい。
【００４７】
また、上述したように、収納キャビネット８が洗面ボウル４の後周壁３２の上に載せられているので、水栓装置ボックス１６に収納キャビネット８の荷重がかかることはない。それにより、水栓装置ボックス１６は、上面側のパネルを必要としない。また、前面パネル１６ｅが取外し可能に設けられている。収納キャビネット８を取外し、前面パネル１６ｅを取外すことにより、水栓装置ボックス１６の上面と前面が開放された状態で水栓装置６のメンテナンスが行えるため、水栓装置６内の部品交換等のメンテナンス作業が非常に行いやすくなった。また水栓装置ボックス１６の上面側のパネルを必要としないため、材料コストを削減できるという効果もある。また、簡単なメンテナンスであれば、収納キャビネット８を取外すことなく、前面パネル１６ｅを外すだけで行える。
【００４８】
また、シャワーホース１４の引出し及び収納のためのホース用空間を、従来の洗面化粧台では使用されておらず且つ使用者の妨げにならない吐水ヘッド１０の側方に設けている。従って、従来の洗面化粧台でホース用空間として使用されていた後壁３２ｂ（特許文献１及び２参照）及び吐水ヘッド１０が取付けられた収納キャビネット８の下部（特許文献３参照）を有効に利用することができる。具体的には、洗面化粧台１では、後壁３２ｂの前後方向の厚みを、給水管１２ｂ及び給湯管１２ｃを通すことができる程度にまで薄くすることができるので、洗面ボウル４を大きくしても、洗面化粧台１の奥行き寸法を比較的小さくすることができる。更に、後壁３２ｂ自体が洗面ボウル４の一部であるので、後壁と別体の洗面ボウルがその手前に配置されていた従来の洗面化粧台よりも、洗面化粧台１の奥行き寸法を小さくすることができる。また、洗面化粧台１では、ホース用空間が、収納キャビネット８の本体部４２ｂの下に位置しているので、収納キャビネット８の本来の収容空間を確保することができる。
【００４９】
これに関連して、洗面ボウル４の後周壁３２が前周壁３０よりも上方に延び、且つ、後周壁３２の後左壁３２ａ及び後右壁３２ｃが後壁３２ｂよりも手前側に延びているので、洗面ボウル４及びその近傍を掃除する際、水が洗面ボウル４の外側に飛び跳ねることが防止され、掃除がしやすくなる。
【００５０】
また、上記ホース用空間は、吐水ヘッド１０及び水栓ユニット１２と組合わされ、水栓装置ボックス１６の形態で構成されているので、非常にコンパクトである。詳細には、水栓装置ボックス１６は、左右方向に延びている。また、水栓装置ボックス１６内で、シャワーホース１４の往路部１４ａが前方下部に沿って延び、且つ、復路部１４ｃが後方上部に沿って延びているので、シャワーホース１４が、水栓装置ボックス１６の横断面の対角線方向に配置されることになり、水栓装置ボックス１６の前後方向寸法及び上下方向寸法を小さくしながら、シャワーホース１４のＵターン部１４ｂに必要な最小の曲率を確保することができる。また、吐水ヘッド１０は、使用者のために水栓ボウル４の左右方向中央に且つ下方に向けて取付けられる必要がある。シャワーホース１０の往路部１４ａと復路部１４ｃとは、吐水ヘッド１０の近傍で「α」字形に交差しているので、吐水ヘッド１０を引出し足り戻したりするときに必要な水栓装置ボックス１６の前後方向寸法及び上下方向寸法を小さくすることができる。
【００５１】
また、電源部４４が、従来の洗面化粧台では使用されておらず且つ使用者の妨げにならない吐水ヘッド１０の側方の空間に設けられている。従って、収納キャビネット８の収納スペースを確保することができる。
【００５２】
また、吐水ヘッド１０に対して、水栓ユニット１２及び電源部４４を右側に配置し、上記ホース用空間を左側に配置したことにより、限られたスペースでシャワーホース１４の引出し長さを長くすることができる。詳細には、吐水ヘッド１０の左側には、水栓ユニット１２及び電源部４４等が配置されていないので、水栓装置ボックス１６の左横パネル１６ｃを収納キャビネットの左脚部４２ａに隣接して配置し、且つ、収納時のシャワーホース１０のＵターン部１４ｂを左横パネルに隣接して配置することができる。それにより、上記ホース用空間の左右方向幅寸法が長くなり、シャワーホース１４の引出し長さを長くすることができる。
【００５３】
また、水栓ユニット１２を吐水ヘッド１０と隣接して配置し、それらと電源部４４との間に右横パネル１６ｄが配置されているので、吐水ヘッド１０を伝って水栓装置ボックス１６に入り込んだ水が、電源部に侵入することを防止することができる。また、水栓装置ボックス１６内に入り込んだ水を、底面パネル１６ａに設けられた水抜き孔１６ｆから排出することができるので、例えば、水栓装置ボックス１６内にかびが発生することを防止することができる。
【００５４】
また、上述した構造において、水栓装置ボックス１６と収納キャビネット８の左脚部４２ａ及び右脚部４２ｃとの間に隙間ができる場合があるが、前面パネル１６ｅがそれらを覆っているので、上述した機能を維持しながら、洗面化粧台１の見た目を美しく仕上げることができる。
【００５５】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【００５６】
上記実施形態では、洗面ボウル４は樹脂製であったが、陶器製であってもよい。
【００５７】
また、上記実施形態では、洗面ボウル４の輪郭は矩形状であったが、その輪郭は任意であり、例えば、前周壁３０が湾曲した輪郭を有していてもよい。
【００５８】
また、上記実施形態では、洗面ボウル４の凹部４ａ輪郭は矩形状であったが、その輪郭は任意である。例えば、前周壁３０がカウンター面３０ｄを有さず、その代わりに、洗面ボウル４の凹部４ａが拡張されていてもよい。また、後左壁３２ａ及び後右壁３２ｃは、上面３３ａ及び上面３３ｃを有していればよく、後左壁３２ａ及び後右壁３２ｃの下部の左右方向幅寸法及び前後方向寸法を小さくすることによって、凹部４ａが拡張されていてもよい。
【００５９】
また、上記実施形態では、収納キャビネット８が設けられていたけれども、それが省略されてもよい。その場合には、水栓装置ボックス１６の左右方向幅寸法を洗面ボウル４の左右方向幅寸法と同じにし、水栓装置ボックス１６を上から覆うパネルを前面パネル１６ｅと一体に又は別体に設けるのがよい。
【００６０】
また、上記実施形態のおいて、水栓ユニット１２、シャワーホース１４、電源部４４等の配置を左右逆にしてもよい。
【図面の簡単な説明】
【００６１】
【図１】本発明の実施形態による洗面化粧台の斜視図である。
【図２】図１に示す洗面化粧台の分解斜視図である。
【図３】図１に示す洗面化粧台の洗面ボウル及び水栓装置ボックスを後方から見た斜視図である。
【図４】収納状態のシャワーホースを示す水栓装置の拡大斜視図である。
【図５】引出し状態のシャワーホースを示す水栓装置の拡大斜視図である。
【符号の説明】
【００６２】
１  洗面化粧台
２  下部キャビネット
４  洗面ボウル
６  水栓装置
８  収納キャビネット
１０  吐水ヘッド
１２  水栓ユニット
１４  シャワーホース
１６  水栓装置ボックス
１６ｅ  前面パネル
３０ｂ  前壁
３２  後周壁
３２ａ  後左壁
３２ｃ  後右壁
３３ａ  上面
３３ｃ  上面
４２ａ  左脚部
４２ｃ  右脚部
４４  電源部
４４ａ  電気コンセント
４４ｂ  電源スイッチ
【図１】
2008125633.tif 000003
【図２】
2008125633.tif 000004
【図３】
2008125633.tif 000005
【図４】
2008125633.tif 000006
【図５】
2008125633.tif 000007